【手続補正書】
【提出日】平成23年2月25日(2011.2.25)
【手続補正１】
【補正対象書類名】特許請求の範囲
【補正対象項目名】全文
【補正方法】変更
【補正の内容】
【特許請求の範囲】
【請求項１】
所定空間からなるゲームフィールドと、
上記ゲームフィールドの周縁部または内部において立ち上がる１または２以上の縦壁と、
上記ゲームフィールド内において上記縦壁に取り付けられており、景品を載置するための１または２以上の景品載置部材と、
上記ゲームフィールド内に設けられる景品落下口と、
上記ゲームフィールド内において、景品を上記景品落下口へと移動させるための景品移動手段と、を備えた景品獲得ゲーム機であって、
上記縦壁に対する上記景品載置部材の取付位置を変更可能な取付位置調整手段を備えることを特徴とする、景品獲得ゲーム機。
【請求項２】
上記取付位置調整手段は、上記縦壁に対してその異なる位置に取付可能な取付具を含んで構成されており、
上記景品載置部材は、上記取付具を介して上記縦壁に取り付けられる、請求項１に記載の景品獲得ゲーム機。
【請求項３】
上記縦壁は、上記縦壁における異なる位置において厚さ方向に形成された複数の被係止部が形成されており、
上記取付具は、上記被係止部に挿入して係止することにより上記縦壁に対して着脱可能に取り付けられる係止片を備える、請求項２に記載の景品獲得ゲーム機。
【請求項４】
上記複数の被係止部は、上記縦壁において、高さ方向または水平方向の少なくともいずれか一方に対して平行に配列されている、請求項３に記載の景品獲得ゲーム機。
【請求項５】
上記複数の被係止部は、上記縦壁において、高さ方向および水平方向のそれぞれについて所定ピッチでマトリックス状に配列されている、請求項４に記載の景品獲得ゲーム機。
【請求項６】
上記取付具は、上記係止片が係止される上記被係止部とは高さ方向の異なる位置にある上記被係止部に挿入される状態において上記縦壁に対して固定可能な固定部を備える、請求項３ないし５のいずれかに記載の景品獲得ゲーム機。
【請求項７】
上記景品載置部材は、上記取付具に着脱可能に固定される、請求項２ないし６のいずれかに記載の景品獲得ゲーム機。
【請求項８】
上記取付位置調整手段は、上記縦壁に対する上記景品載置部材の高さ方向の取付位置と水平方向の取付位置とを調整可能である、請求項１に記載の景品獲得ゲーム機。
【請求項９】
上記景品載置部材は棒状部材からなる、請求項１ないし８のいずれかに記載の景品獲得ゲーム機。
【手続補正２】
【補正対象書類名】明細書
【補正対象項目名】０００９
【補正方法】変更
【補正の内容】
【０００９】
本発明によって提供されるゲーム機は、所定空間からなるゲームフィールドと、上記ゲームフィールドの周縁部または内部において立ち上がる１または２以上の縦壁と、上記ゲームフィールド内において上記縦壁に取り付けられており、景品を載置するための１または２以上の景品載置部材と、上記ゲームフィールド内に設けられる景品落下口と、上記ゲームフィールド内において、景品を上記景品落下口へと移動させるための景品移動手段と、を備えた景品獲得ゲーム機であって、上記縦壁に対する上記景品載置部材の取付位置を変更可能な取付位置調整手段を備えることを特徴としている。
【手続補正３】
【補正対象書類名】明細書
【補正対象項目名】００１０
【補正方法】変更
【補正の内容】
【００１０】
このような構成の景品獲得ゲーム機によれば、ゲームフィールドに配される景品の大きさや形状に応じて、景品載置部材の位置を取付位置調整手段によって変更することが可能である。これにより、たとえば既にゲームフィールド内に配されている景品から、大きさや形状の異なる他の種類の景品に入れ替える場合においても、当該景品に適合するように景品載置部材の位置を調整することができる。したがって、大きさや形状の異なる様々な種類の景品について、比較的に少ない数量の各種景品を効率よくディスプレイすることができる。
【手続補正４】
【補正対象書類名】明細書
【補正対象項目名】００１１
【補正方法】変更
【補正の内容】
【００１１】
好ましい実施の形態においては、上記取付位置調整手段は、上記縦壁に対してその異なる位置に取付可能な取付具を含んで構成されており、上記景品載置部材は、上記取付具を介して上記縦壁に取り付けられる。
【手続補正５】
【補正対象書類名】明細書
【補正対象項目名】００１２
【補正方法】変更
【補正の内容】
【００１２】
このような構成によれば、景品載置部材の位置調整は、縦壁に対する取付具の位置を変更することによって、適確に行うことができる。
【手続補正６】
【補正対象書類名】明細書
【補正対象項目名】００１７
【補正方法】変更
【補正の内容】
【００１７】
好ましい実施の形態においては、上記縦壁は、上記縦壁における異なる位置において厚さ方向に形成された複数の被係止部が形成されており、上記取付具は、上記被係止部に挿入して係止することにより上記縦壁に対して着脱可能に取り付けられる係止片を備える。
【手続補正７】
【補正対象書類名】明細書
【補正対象項目名】００１９
【補正方法】変更
【補正の内容】
【００１９】
好ましい実施の形態においては、上記取付具は、上記係止片が係止される上記被係止部とは高さ方向の異なる位置にある上記被係止部に挿入される状態において上記縦壁に対して固定可能な固定部を備える。
【手続補正８】
【補正対象書類名】明細書
【補正対象項目名】００２５
【補正方法】変更
【補正の内容】
【００２５】
好ましい実施の形態においては、上記取付位置調整手段は、上記縦壁に対する上記景品載置部材の高さ方向の取付位置と水平方向の取付位置とを調整可能である。
【手続補正９】
【補正対象書類名】明細書
【補正対象項目名】００３４
【補正方法】変更
【補正の内容】
【００３４】
図２に表れているように、各棚板２を取付けるための取付具２１は、高さ方向については同じレベルで、かつ水平方向については異なる２箇所以上の位置に取付けられている。本実施形態においては、交差する２枚の縦壁１３のそれぞれに対し、同じ高さレベルにおいて取付具２１が１つずつ装着されており、各棚板２は、取付具２１の取付位置を変更することにより、縦壁１３に対する取付位置が変更可能とされている。このようにして、棚板２は、縦壁１３に対する取付位置の調整が可能となっており、縦壁１３の複数の開口１３ａ、および取付具２１は、本発明でいう取付位置調整手段の役割を担う。
【手続補正１０】
【補正対象書類名】明細書
【補正対象項目名】００３８
【補正方法】変更
【補正の内容】
【００３８】
中段に位置する円筒状部材３２は、円筒状部材３１に対して内挿可能とされている。円筒状部材３２の下部寄りの内面には、最下段の円筒状部材３１との連結用の複数（本実施形態では２つ）のナット３２Ａが高さ方向において所定の間隔を隔てて設けられており、円筒状部材３２の上部寄りの内面には、最上段に位置する円筒状部材３３との連結用の複数（本実施形態では２つ）のナット３２Ｂが高さ方向において所定の間隔を隔てて設けられている。円筒状部材３１と円筒状部材３２との連結は、たとえば、高さ方向に並ぶ４つの貫通孔３１ｂのいずれかと、２つのナット３２Ａのいずれかとを選択し、当該貫通孔３１ｂおよびナット３２Ａにボルト３４を共通に挿通することにより行う。ここで、貫通孔３１ｂおよびナット３２Ａの選択の組み合わせにより、円筒状部材３１，３２の内外方向の重合部分の長さＬ１を８通りに変更することが可能である。これにより、本実施形態では、円筒状部材３２の上端高さは８段階に微調整可能となっている。
【手続補正１１】
【補正対象書類名】明細書
【補正対象項目名】００４４
【補正方法】変更
【補正の内容】
【００４４】
取付具２１は、係止片２１１を縦壁１３の開口１３ａに挿通するといった簡単な操作により、高さ方向の異なる位置にあるいずれの開口１３ａにも取付けることができる。また、取付具２１は、縦壁固定部２１２によって縦壁１３に対して確実に固定される。また、取付具２１に取り付けられる棚板２は、各取付具２１に設けられた棚板固定部２１３によって着脱可能に固定される。かかる構成により、棚板２は、取付具２１を介して縦壁１３に一体的に取付けられており、たとえばゲーム機Ａに多少の振動が加わっても、縦壁１３に対する棚板２の取付位置がずれるといった不都合が生じることはない。